(57)【要約】【課題】客室の天井を形成する天井内装パネルの表面からもたらされる輻射熱を抑制して、乗客の快適性の向上を図ることができる鉄道車両を提供すること。【解決手段】熱気回収ファン１５に接続される天井ダクト５３が鉄道車両１００の天井部分を構成する天井内装パネル２１と断熱材４との間の空間である天井壁内空間Ｓ１に配設され、天井内装パネル２１には、天井壁内空間Ｓ１と客室Ｅ１２を連通させる天井吸込口２１ａ及び荷棚上方吸込口２２ａが開口形成される。よって、天井ダクト５３を介して天井壁内空間Ｓ１の空気Ｂを鉄道車両１００の客室外へ排出することで、天井壁内空間Ｓ１の空気Ｂを調和空気Ａに置換し、天井内装パネル２１の表面温度を客室Ｅ１２の調和空気Ａの温度に近づける。その結果、天井内装パネル２１の輻射熱の影響を低減して、乗客の快適性の向上を図ることができる。【選択図】図２
2010208378.tif 000002
【特許請求の範囲】
【請求項１】
調和空気を客室へ供給する空調装置と、前記客室の天井を形成する天井内装パネルと、その天井内装パネルの外側に配設され前記客室の水密を保つ水密パネルと、その水密パネルの内面に配設され断熱機能を有する断熱材と、を備えた鉄道車両において、
前記天井内装パネル及び水密パネルの間の空間として形成される天井裏空間の空気を客室外へ排出する排出手段と、
前記天井裏空間を前記客室に連通させる通風口と、を備えていることを特徴とする鉄道車両。
【請求項２】
複数の開口を有しその開口から取り込んだ空気の流通方向下流側へ向かうほど流路断面積が大きくなると共に前記天井裏空間に配設されるダクト部材を備え、
前記排出手段は、前記ダクト部材を介して、前記天井裏空間の空気を客室外へ排出することを特徴とする請求項１記載の鉄道車両。
【請求項３】
客室内に向けて突設され上面が荷台面となる荷棚を備え、
前記天井内装パネルは、湾曲して構成されることで前記荷棚の上面に連設される側天井パネルを備え、
前記通風口は、前記側天井パネルの前記荷台面側の端部に位置すると共に前記天井裏空間を前記客室に連通させる荷棚通風口を備えることを特徴とする請求項１又は２に記載の鉄道車両。
【請求項４】
前記天井裏空間に配置され前記天井内装パネルの採光用の開口を介して前記客室を照明する照明具と、前記天井内装パネルの採光用の開口を覆い透光性材料から構成される照明カバーと、を備え、
前記通風口は、前記照明カバーと前記天井内装パネルとが連設される位置に形成されると共に前記天井裏空間を前記客室に連通させる照明通風口を備えることを特徴とする請求項１から３のいずれかに記載の鉄道車両。
【請求項５】
前記客室の側面に配設される窓ガラスと、その窓ガラスの上部に位置し前記空調装置から供給される調和空気を下方へ向けて送風する吹出口と、を備え、
前記通風口は、前記窓ガラスの上部に位置すると共に前記吹出口よりも前記窓ガラス側に位置し前記天井裏空間を前記客室に連通させる窓通風口を備えることを特徴とする請求項１から４のいずれかに記載の鉄道車両。
【請求項６】
前記客室の側面に配設される窓ガラスを備え、
前記通風口は、前記窓ガラスの上部に位置し前記天井裏空間を前記客室に連通させる窓通風口を備えることを特徴とする請求項１から４のいずれかに記載の鉄道車両。
【請求項７】
巻き取り軸とその巻き取り軸の外周部にロール状に巻き取られるロールカーテンとを有し、引き出されたロールカーテンにより前記窓ガラスを遮蔽するカーテン機構を備え、
前記カーテン機構が前記窓通風口の内部に配設されると共に、前記カーテン機構から引き出されて垂下するロールカーテンにより、前記窓通風口が前記窓ガラス側の流路と前記客室側の流路とに分割されていることを特徴とする請求項５又は６に記載の鉄道車両。
【請求項８】
前記荷棚通風口、前記照明通風口または前記窓通風口の少なくとも１個を閉鎖して、それら荷棚通風口、照明通風口または窓通風口を経由する前記天井裏空間と客室との連通を遮断する閉鎖手段を備えることを特徴とする請求項３から６のいずれかに記載の鉄道車両。
【発明の詳細な説明】
【技術分野】
【０００１】
本発明は、鉄道車両に関し、特に、客室の天井を形成する天井内装パネルの表面からもたらされる輻射熱による影響を抑制して、乗客の快適性の向上を図ることができる鉄道車両に関するものである。
【背景技術】
【０００２】
従来の鉄道車両では、温度や湿度を調整した調和空気を空調装置によって生成し、その生成した調和空気を、例えば、客室の天井部に開口した吹出口から下方へ向けて吹き出す、或いは、床に開口した吹出口から上方へ向けて吹き出すことで、客室の空調を行うように構成されていた（特許文献１，２）。
【先行技術文献】
【特許文献】
【０００３】
【特許文献１】特開２００８−０４９９８４号公報（例えば、第２図など）
【特許文献２】特開２００５−２２５２６６号公報（例えば、第５図など）
【発明の概要】
【発明が解決しようとする課題】
【０００４】
しかしながら、上述した従来の鉄道車両では、天井構造が天井内装パネルと水密パネルとの間の天井裏の空間を有する構成であるため、例えば、夏には熱い空気が天井裏の空間に滞留する。そのため、天井内装パネルの表面温度が上昇して、その天井内装パネルの表面からもたらされる輻射熱が客室内の冷房の効果を損なわせる。特に、天井内装パネルは、面積が広く乗客から見た場合の視野角が大きいため、輻射熱の作用による乗客の温熱感への影響が大きい。同様に、冬には冷たい空気が天井裏の空間に滞留することで、天井内装パネルの表面温度が低下して、その天井内装パネルの表面からもたらされる負の輻射熱が客室内の暖房の効果を損なわせる。その結果、冷房時または暖房時の乗客の快適性が損なわれるという問題点があった。
【０００５】
本発明は上述した問題点を解決するためになされたものであり、客室の天井を形成する天井内装パネルの表面からもたらされる輻射熱による影響を抑制して、乗客の快適性の向上を図ることができる鉄道車両を提供することを目的としている。
【課題を解決するための手段】
【０００６】
この目的を達成するために、請求項１記載の鉄道車両は、調和空気を客室へ供給する空調装置と、前記客室の天井を形成する天井内装パネルと、その天井内装パネルの外側に配設され前記客室の水密を保つ水密パネルと、その水密パネルの内面に配設され断熱機能を有する断熱材と、を備えた鉄道車両であって、前記天井内装パネル及び水密パネルの間の空間として形成される天井裏空間の空気を客室外へ排出する排出手段と、前記天井裏空間を前記客室に連通させる通風口と、を備えている。
【０００７】
請求項２記載の鉄道車両は、請求項１記載の鉄道車両において、複数の開口を有しその開口から取り込んだ空気の流通方向下流側へ向かうほど流路断面積が大きくなると共に前記天井裏空間に配設されるダクト部材を備え、前記排出手段は、前記ダクト部材を介して、前記天井裏空間の空気を客室外へ排出する。
【０００８】
請求項３記載の鉄道車両は、請求項１又は２に記載の鉄道車両において、客室内に向けて突設され上面が荷台面となる荷棚を備え、前記天井内装パネルは、湾曲して構成されることで前記荷棚の上面に連設される側天井パネルを備え、前記通風口は、前記側天井パネルの前記荷台面側の端部に位置すると共に前記天井裏空間を前記客室に連通させる荷棚通風口を備える。
【０００９】
請求項４記載の鉄道車両は、請求項１から３のいずれかに記載の鉄道車両において、前記天井裏空間に配置され前記天井内装パネルの採光用の開口を介して前記客室を照明する照明具と、前記天井内装パネルの採光用の開口を覆い透光性材料から構成される照明カバーと、を備え、前記通風口は、前記照明カバーと前記天井内装パネルとが連設される位置に形成されると共に前記天井裏空間を前記客室に連通させる照明通風口を備える。
【００１０】
請求項５記載の鉄道車両は、請求項１から４のいずれかに記載の鉄道車両において、前記客室の側面に配設される窓ガラスと、その窓ガラスの上部に位置し前記空調装置から供給される調和空気を下方へ向けて送風する吹出口と、を備え、前記通風口は、前記窓ガラスの上部に位置すると共に前記吹出口よりも前記窓ガラス側に位置し前記天井裏空間を前記客室に連通させる窓通風口を備える。
【００１１】
請求項６記載の鉄道車両は、請求項１から４のいずれかに記載の鉄道車両において、前記客室の側面に配設される窓ガラスを備え、前記通風口は、前記窓ガラスの上部に位置し前記天井裏空間を前記客室に連通させる窓通風口を備える。
【００１２】
請求項７記載の鉄道車両は、請求項５又は６に記載の鉄道車両において、巻き取り軸とその巻き取り軸の外周部にロール状に巻き取られるロールカーテンとを有し、引き出されたロールカーテンにより前記窓ガラスを遮蔽するカーテン機構を備え、前記カーテン機構が前記窓通風口の内部に配設されると共に、前記カーテン機構から引き出されて垂下するロールカーテンにより、前記窓通風口が前記窓ガラス側の流路と前記客室側の流路とに分割されている。
【００１３】
請求項８記載の鉄道車両は、請求項３から６のいずれかに記載の鉄道車両において、前記荷棚通風口、前記照明通風口または前記窓通風口の少なくとも１個を閉鎖して、それら荷棚通風口、照明通風口または窓通風口を経由する前記天井裏空間と客室との連通を遮断する閉鎖手段を備える。
【発明の効果】
【００１４】
請求項１記載の鉄道車両によれば、天井内装パネル及び水密パネルの間の空間として形成される天井裏空間の空気を客室外へ排出する排出手段と、天井裏空間を客室に連通させる通風口とを備える構成であるので、排気手段により天井裏空間の空気を客室外へ排出することに伴い、その天井裏空間から客室外へ排出した空気の分だけ、客室の空気を客室から通風口を経由して天井裏空間に導入することができる。これにより、天井裏空間に滞留する空気、例えば、夏の熱い空気や冬の冷たい空気を、客室の空気（即ち、空調装置により温度や湿度が調整された調和空気）に置換することができる。
【００１５】
これにより、客室の天井を形成する天井内装パネルの表面温度を客室の空気の温度、即ち、室温に近づけることができるので、かかる天井内装パネルの表面からもたらされる輻射熱により客室内の空調の効果が損なわれることを抑制して、乗客の快適性の向上を図ることができるという効果がある。
【００１６】
ここで、従来の鉄道車両では、天井裏空間に夏の熱い空気や冬の冷たい空気が滞留した場合に、天井内装パネルの表面からもたらされる輻射熱により客室内の空調の効果が損なわれることを抑制するために、かかる天井内装パネルの裏面に断熱材を設ける必要があり、材料コストが嵩む。これに対し、本発明の鉄道車両によれば、上述のように、客室の空気の導入により、天井裏空間に滞留する空気を置換して、天井内装パネルの表面温度を客室の室温に近づける構成であるので、かかる天井内装パネルの裏面に断熱材を設けることを省略することができ、その結果、材料コストの削減を図ることができるという効果がある。
【００１７】
請求項２記載の鉄道車両によれば、請求項１記載の鉄道車両の奏する効果に加え、複数の開口を有しその開口から取り込んだ空気の流通方向下流側へ向かうほど流路断面積が大きくなると共に天井裏空間に配設されるダクト部材を備え、そのダクト部材を介して、排出手段による天井裏空間の空気の客室外への排出を行う構成であるので、ダクト部材の各開口から空気を取り込み客室外へ排出することで、天井裏空間の排気をより均一に行うことができ、その結果、天井裏空間の空気を客室の空気に効率的に置換することができるという効果がある。
【００１８】
即ち、天井裏空間の空気を電動ファンにより直接吸い込み外部へ排出する場合、電動ファンに近い領域では、空気が外部へ排出されるので、その排出された分が通風口から導入された客室の空気に置換されるが、電動ファンから遠い領域では、空気が外部へ排出されず滞留し易いため、客室の空気との置換が行われ難い。
【００１９】
これに対し、本発明の鉄道車両によれば、複数の開口を有するので、電動ファンから遠い領域であっても、各開口から空気を取り入れて外部へ排出することができる。よって、天井裏空間全体の空気を万遍なく外部に排出し易くすることができるので、天井裏空間の空気を客室の空気に置換することをより均一に行うことができる。
【００２０】
請求項３記載の鉄道車両によれば、請求項１又は２に記載の鉄道車両の奏する効果に加え、側天井パネルの荷台面側の端部に荷棚通風口を設け、その荷棚通風口を介して天井裏空間を客室に連通させる構成であり、客室の空気を天井裏空間へ導入する場合には、荷棚通風口を介して、荷棚の荷台面上の空気を天井裏空間へ導入することができるので、かかる荷棚の荷台面上の空気を客室内の他の領域の空気に置換することができる。
【００２１】
ここで、冷房時の客室内では、天井付近に暖かい空気が滞留している。特に、荷棚の荷台面上は、荷棚と天井内装パネル（側天井パネル）との間に囲まれた奥まった領域であるため、空気が滞留し易い。そして、その暖かい空気の滞留は、天井内装パネルの温度を上昇させるため、天井内装パネル（側天井パネル）の表面からもたらされる輻射熱により客室内の空調の効果が損なわれ、乗客の快適性が低下するという問題点がある。
【００２２】
これに対し、本発明の鉄道車両によれば、上述したように、荷棚の荷台面上の暖かい空気を客室の他の領域の空気（即ち、空調装置により温度や湿度が調整された冷たい空気）に置換することができるので、天井内装パネル（側天井パネル）の表面温度を下げることができる。その結果、かかる天井内装パネルの表面からもたらされる輻射熱により客室内の空調の効果が損なわれることを抑制して、乗客の快適性の向上を図ることができるという効果がある。
【００２３】
特に、本発明の車両用制御装置によれば、荷棚通風口の配設位置が、側天井パネルの荷台面側の端部とされている、即ち、荷棚と天井内装パネル（側天井パネル）との間に囲まれた領域の中の一番奥まった位置であるので、客室内の他の領域の空気（即ち、空調装置により温度や湿度が調整された冷たい空気）が、荷棚の荷台面上の領域を迂回して、荷棚通風口へ直接流入されることを抑制し、荷棚の荷台面上に滞留する暖かい空気を荷棚通風口へ確実に流入させることができるので、かかる荷棚の荷台面上に滞留する暖かい空気を客室内の他の領域の空気に効率的に置換することができるという効果がある。
【００２４】
請求項４記載の鉄道車両によれば、請求項１から３のいずれかに記載の鉄道車両の奏する効果に加え、照明カバーと天井内装パネルとが連設される位置に照明通風口を設け、その照明通風口を介して天井裏空間を客室に連通させる構成であり、客室の空気を天井裏空間へ導入する場合には、照明通風口を介して、照明カバー近傍の空気を天井裏空間へ導入することができるので、かかる照明パネル近傍の空気を客室内の他の領域の空気に置換することができる。
【００２５】
上述したように、冷房時の客室内では、天井付近に暖かい空気が滞留している。特に、照明パネル近傍は、照明具が熱源となるため、その発熱により天井付近の空気の温度を更に上昇させる。そして、その暖かい空気の滞留は、照明カバーや天井内装パネルの温度を上昇させるため、それら照明カバーや天井内装パネルの表面からもたらされる輻射熱により客室内の空調の効果が損なわれ、乗客の快適性が低下するという問題点がある。
【００２６】
これに対し、本発明の鉄道車両によれば、上述したように、照明カバー近傍の暖かい空気を客室の他の領域の空気（即ち、空調装置により温度や湿度が調整された冷たい空気）に置換することができるので、照明カバーや天井内装パネルの表面温度を下げることができる。その結果、かかる照明カバーや天井内装パネルの表面からもたらされる輻射熱により客室内の空調の効果が損なわれることを抑制して、乗客の快適性の向上を図ることができるという効果がある。
【００２７】
請求項５記載の鉄道車両によれば、請求項１から４のいずれかに記載の鉄道車両の奏する効果に加え、窓ガラスの上部に窓通風口を設け、その窓通風口を介して天井裏空間を客室に連通させる構成であり、客室の空気を天井裏空間へ導入する場合には、窓通風口を介して、窓ガラス近傍の空気を天井裏空間へ導入することができるので、かかる窓ガラス近傍の空気を客室内の他の領域の空気に置換することができる。
【００２８】
ここで、例えば、冷房時には、一般に、窓ガラスの温度が、車外の空気から受ける熱と、太陽から受ける熱とにより、客室の空気よりも温度が高くなっている。一方、暖房時には、窓ガラスが、車外へ熱が奪われることで、客室の空気よりも温度が低くなっている。そのため、窓ガラスの表面からもたらされる輻射熱により客室内の空調の効果が損なわれ、乗客の快適性が低下するという問題点がある。
【００２９】
また、暖房時には、窓ガラス近傍の冷やされて重くなった空気が降下して床を這うような流れとなり、客室に広がる（いわゆるコールドドラフト）という問題点があった。
【００３０】
これに対し、本発明の鉄道車両によれば、上述したように、窓ガラス近傍の空気（客室の空気よりも高温または低温の空気）を客室の他の領域の空気（即ち、空調装置により温度や湿度が調整された空気）に置換することができるので、窓ガラスの表面温度を客室の空気の温度、即ち、室温に近づけることができる。その結果、かかる窓ガラスの表面からもたらされる輻射熱により客室内の空調の効果が損なわれることを抑制して、乗客の快適性の向上を図ることができるという効果がある。
【００３１】
また、窓ガラス近傍の空気が冷やされて重くなることで降下する前に、かかる窓ガラス近傍の空気を客室の空気に置換することができるので、いわゆるコールドドラフトの発生を抑制することができるという効果がある。
【００３２】
更に、本発明の車両用制御装置によれば、空調装置から供給される調和空気を下方へ向けて送風する吹出口を窓ガラスの上部に配置すると共に、その吹出口よりも窓通風口を窓ガラス側に配置する構成であるので、窓ガラスの温度と天井裏空間の空気の温度とを客室の空気の温度に効果的に近づけることができるという効果がある。
【００３３】
即ち、窓通風口は、吹出口よりも窓ガラス側に位置するので、窓通風口から窓ガラス近傍の空気を吸い込む場合には、その窓通風口に吸い込まれる空気の流れ（上昇流）に、吹出口から流下される空気（即ち、空調装置から供給される調和空気）が取り込まれるので、かかる空調装置から供給される調和空気（即ち、客室の空気よりも目標温度に近い温度の空気）を、窓ガラスの際を経由させた後に、窓通風口へ吸い込ませることができる。
【００３４】
これにより、窓ガラスの温度を、吹出口から送風された調和空気（即ち、客室の空気よりも目標温度に近い温度の空気）を利用して、客室の空気の温度に効果的に近づけることができる。また、かかる調和空気が天井裏空間に導入されることで、天井裏空間の空気の温度を客室の空気の温度に効果的に近づけることができる。その結果、窓ガラスの表面および天井内装パネルの表面からもたらされる輻射熱により客室内の空調の効果が損なわれることを抑制して、乗客の快適性の向上を図ることができる。
【００３５】
請求項６記載の鉄道車両によれば、請求項１から４のいずれかに記載の鉄道車両の奏する効果に加え、窓ガラスの上部に窓通風口を設け、その窓通風口を介して天井裏空間を客室に連通させる構成であり、客室の空気を天井裏空間へ導入する場合には、窓通風口を介して、窓ガラス近傍の空気を天井裏空間へ導入することができるので、かかる窓ガラス近傍の空気を客室内の他の領域の空気に置換することができる。
【００３６】
ここで、例えば、冷房時には、一般に、窓ガラスの温度が、車外の空気から受ける熱と、太陽から受ける熱とにより、客室の空気よりも温度が高くなっている。一方、暖房時には、窓ガラスが、車外へ熱が奪われることで、客室の空気よりも温度が低くなっている。そのため、窓ガラスの表面からもたらされる輻射熱により客室内の空調の効果が損なわれ、乗客の快適性が低下するという問題点がある。
【００３７】
また、暖房時には、窓ガラス近傍の冷やされて重くなった空気が降下して床を這うような流れとなり、客室に広がる（いわゆるコールドドラフト）という問題点があった。
【００３８】
これに対し、本発明の鉄道車両によれば、上述したように、窓ガラス近傍の空気（客室の空気よりも高温または低温の空気）を客室の他の領域の空気（即ち、空調装置により温度や湿度が調整された空気）に置換することができるので、窓ガラスの表面温度を客室の空気の温度、即ち、室温に近づけることができる。その結果、かかる窓ガラスの表面からもたらされる輻射熱により客室内の空調の効果が損なわれることを抑制して、乗客の快適性の向上を図ることができるという効果がある。
【００３９】
また、窓ガラス近傍の空気が冷やされて重くなることで降下する前に、かかる窓ガラス近傍の空気を客室の空気に置換することができるので、いわゆるコールドドラフトの発生を抑制することができるという効果がある。
【００４０】
請求項７記載の鉄道車両によれば、請求項５又は６に記載の鉄道車両の奏する効果に加え、窓通風口の風量のバランスを一定に保つことができるという効果がある。即ち、ロールカーテンが巻き取り軸の外周に巻き取られると、その巻き取り部の外径が太くなることで、その分、窓通風口の流路断面積が小さくなる。一方、ロールカーテンが引き出されると、巻き取り部の外径が細くなることで、その分、窓通風口の流路断面積は大きくなるが、この場合、窓通風口の窓ガラス側の流路は、ロールカーテンが窓ガラスを覆っていることで、かかるロールカーテンと窓枠との間の狭い流路を通過した空気が流通される。これにより、ロールカーテンの開閉状態によらず、窓通風口の流路断面積（即ち、ロールカーテンにより分割された窓ガラス側の流路と客室側の流路との合計の流路断面積）の変化を抑制して、窓通風口の風量のバランスを一定に保つことができる。
【００４１】
請求項８記載の鉄道車両によれば、請求項３から６のいずれかに記載の鉄道車両の奏する効果に加え、荷棚通風口、照明通風口または窓通風口の少なくとも１個を閉鎖して、それら荷棚通風口、照明通風口または窓通風口を経由する天井裏空間と客室との連通を遮断する閉鎖手段を備える構成であるので、かかる閉鎖手段による荷棚通風口、照明通風口の遮断を実行することにより、例えば、暖房時には、天井付近に滞留している暖かい空気が客室内の他の領域の空気に置換されることを抑制することができる。これにより、かかる天井付近に滞留する暖かい空気を利用して、天井内装パネルの温度を上昇させることができるので、天井内装パネル（側天井パネル）の表面からもたらされる輻射熱により客室内の空調効果を高めることができ、その結果、乗客の快適性の向上を図ることができるという効果がある。
【００４２】
また、かかる閉鎖手段による窓通風口の遮断を実行することにより、例えば、暖房時には、窓ガラス付近の暖かい空気が客室内の他の領域の空気に置換されることを抑制することができる。これにより、かかる窓ガラス付近の暖かい空気を利用して、窓ガラスの温度を上昇させることができるので、窓ガラスの表面からもたらされる輻射熱により客室内の空調効果を高めることができ、その結果、乗客の快適性の向上を図ることができるという効果がある。
【図面の簡単な説明】
【００４３】
【図１】本発明の第１実施の形態における鉄道車両の断面図である。
【図２】図１のＩＩ−ＩＩ線における鉄道車両の断面図である。
【図３】図２のＩＩＩで囲んだ部分を拡大して示した鉄道車両の拡大断面図である。
【図４】図１のＩＶ−ＩＶ線における鉄道車両の窓部周辺を拡大して示した拡大断面図である。
【発明を実施するための形態】
【００４４】
以下、本発明の好ましい実施の形態について添付図面を参照して説明する。まず、図１および図２を参照して、鉄道車両１００の構成について説明する。図１は、本発明の１実施の形態における鉄道車両１００の断面図であり、図２は、図１のＩＩ−ＩＩ線における鉄道車両１００の断面図である。
【００４５】
なお、図１の切断線は、図２のＩ−Ｉ線に対応する。また、図１では、理解を容易とするために、供給ダクト５１と回収ダクト５４との高さ寸法（図１上下方向寸法）を縮小し、供給ダクト５１を回収ダクト５４の上側に図示している。
【００４６】
鉄道車両１００は、乗客を輸送する輸送機械であり、図１に示すように、レールの上を転動する車輪が軸支される台車Ｒと、その台車Ｒに支持され乗客が収容される構体として構成される車体Ｂとを備えている。車体Ｂは、水密パネル３と、断熱材４と、居住室Ｅ１と、内装パネル２と、区画壁６，７と、循環ダクト５と、空調装置１とを備えている。
【００４７】
水密パネル３は、図１及び図２に示すように、車体Ｂの外壁を構成する部材であり、後述する居住室Ｅ１を囲うように配設されている。また、水密パネル３は、降雨に対して水密を保つ構造とされており、これにより、居住室Ｅ１の水密が保たれている。
【００４８】
断熱材４は、断熱機能を有する材料から構成される部材であり、図１及び図２に示すように、水密パネル３の内側（居住室Ｅ１側）の全面に密着した状態で配設されている。このように、本実施形態の鉄道車両１００によれば、水密パネル３の内側（内装パネル２側）の面に断熱材４が配設されるので、居住室Ｅ１の断熱効果（即ち、内壁パネル２及び水密パネル３を介して居住室Ｅ１と車外との間で行われる熱の移動を抑制する効果）を確保することができる。
【００４９】
また、水密パネル３が車外の冷気により冷やされた状態で壁内空間Ｓ内を温かい空気Ｂが流通する場合でも、断熱材４により温度差を緩和して、水密パネル３の内側（断熱材の表面）に結露が生じることを防止することができる。
【００５０】
その断熱材４は、厚みが、上述した水密パネル３と後述する内装パネル２（居住室Ｅ１を区画する部材）との間の対向間隔よりも薄くされているので、断絶材４と内装パネル２との間には、所定の空間が形成されており、この空間が壁内空間Ｓとされる。その壁内空間Ｓは、図２に示すように、後述する天井パネル２１と断熱材４との間の空間として形成される天井壁内空間Ｓ１と、後述する側面パネル２２と断熱材４との間の空間として形成される側壁内空間Ｓ２と、後述する床面パネル２３と断熱材４との間の空間として形成される床壁内空間Ｓ３とから構成されている。
【００５１】
天井壁内空間Ｓ１には、後述する循環ダクト５の天井ダクト５３が配設されており、側壁内空間Ｓ２には、後述する循環ダクト５の縦供給ダクト５２及び回収ダクト５４の一部が配設されており、床壁内空間Ｓ３には、後述する循環ダクト５の回収ダクト５４の一部および循環ダクト５の供給ダクト５１が配設されている。
【００５２】
なお、後述する循環ダクト５（供給ダクト５１、縦供給ダクト５２、天井ダクト５３及び回収ダクト５４）と断熱材４及び内装パネル２との間には、空気Ｂが循環するのに十分な隙間が形成されている。よって、壁内空間Ｓの隙間を空気Ｂが流れることができる。
【００５３】
居住室Ｅ１は、図１及び図２に示すように、車体Ｂの内部に形成される空間であり、天井面、側面および床面が後述する水密パネル３によって取り囲まれている。また、居住室Ｅ１には、後述する内装パネル２と区画壁６，７とが配設され、居住室Ｅ１が、乗客の居住室として構成される客室Ｅ１２と、乗降ドアが設置され乗降時の踊り場として使用されるデッキＥ１３と、身支度を整えるために使用される洗面トイレ室Ｅ１４とに区画されている。
【００５４】
なお、客室Ｅ１２は、図１に示すように、乗客が着席するための複数の座席Ｅ２と、後述する内装パネル２の側面パネル２２から突出され手荷物が載置される荷棚Ｅ３と、その荷棚Ｅ３の下側（図１下側）であって座席Ｅ２の横側（図１紙面奥側）に位置し、後述する内装パネル２の側面パネル２２に形成された開口部に配設される複数の窓Ｅ４とを備えている。
【００５５】
内装パネル２は、荷棚Ｅ３の上方に配設され照明装置７０が取り付けられ居住室Ｅ１の天井面を形成する天井内装パネル２１と、その天井内装パネル２１に対向して配設され居住室Ｅ１の床面を形成する床面パネル２３と、これら天井内装パネル２１及び床面パネル２３を互いに連結すると共に座席Ｅ２の両側、前方および後方に配設される４面の側面パネル２２とを備えている。なお、内装パネル２の詳細構成および照明装置７０の構成については、図３を参照して、後述する。
【００５６】
区画壁６，７は、居住室Ｅ１を客室Ｅ１２、デッキＥ１３及び洗面トイレ室Ｅ１４の３室に区画するための部材である。即ち、図１に示すように、居住室Ｅ１は、側面パネル２２と区画壁６との間に客室Ｅ１２が、区画壁６と区画壁７との間にデッキＥ１３が、区画壁７と他（図１左側）の側面パネル２２との間に洗面トイレ室Ｅ１４が、それぞれ形成されている。
【００５７】
また、区画壁６は、図１に示すように、客室Ｅ１２に面する客室区画パネル６ａと、デッキＥ１３に面するデッキ区画パネル６ｂとを備えており、これら客室区画パネル６ａとデッキ区画パネル６ｂとが所定間隔を隔てて対向して配設されている。同様に、区画壁７は、図１に示すように、デッキＥ１３に面するデッキ区画パネル７ａと、洗面トイレ室Ｅ１４に面する洗面区画パネル７ｂとを備えており、これらデッキ区画パネル７ａとデッキ区画パネル７ｂとが所定間を隔てて対向して配設されている。
【００５８】
循環ダクト５は、後述する空調装置１によって循環される調和空気Ａ及び客室Ｅ１２から吸い出された空気Ｂを案内する筒状に構成された部材であり、図１及び図２に示すように、供給ダクト５１と、縦供給ダクト５２と、天井ダクト５３と、回収ダクト５４とを備えている。
【００５９】
供給ダクト５１は、図２に示すように、空調装置１から供給された調和空気Ａを鉄道車両１００の前後方向に並んで配設される縦供給ダクト５２へ供給する部材であり、床面パネル２３と断熱材４との間に配設されている。
【００６０】
縦供給ダクト５２は、図２に示すように、供給ダクト５１から供給された調和空気Ａを鉄道車両１００の上方へ案内し、その案内された調和空気Ａを荷棚Ｅ３と窓Ｅ４との間の位置に形成される荷棚下方吹出口２２ｂ及び窓側吹出口２２ｃから居住室Ｅ１へ供給する部材であり、図２に示すように、側面パネル２２と断熱材４との間に配設されている。
【００６１】
天井ダクト５３は、天井壁内空間Ｓ１から空気Ｂを吸い出すための部材であり、図１および図２に示すように、天井内装パネル２１と断熱材４との間に配設されると共に、断面視矩形の筒状体として構成され、その両側面には、複数の貫通孔５５が形成されている。
【００６２】
そのため、後述する熱気回収ファン１５によって、天井ダクト５３内部の空気Ｂが吸い出されることで、天井壁内空間Ｓ１の空気Ｂを貫通孔５５及び天井ダクト５３先端の開口から吸い込むことができる。これにより、天井壁内空間Ｓ１に滞留する空気Ｂ、例えば、夏の熱い空気や冬の冷たい空気を、客室Ｅ１２の調和空気Ａ（即ち、空調装置１により温度や湿度が調整された空気）に置換することができる。
【００６３】
これにより、天井内装パネル２１の表面温度を客室Ｅ１２の調和空気Ａの温度、即ち、室温に近づけることができるので、かかる天井内装パネル２１の表面からもたらされる輻射熱により客室Ｅ１２内の空調の効果が損なわれることを抑制して、乗客の快適性の向上を図ることができる。
【００６４】
また、例えば、壁内空間Ｓの内部で温められた空気Ｂは、壁内空間Ｓの内部を上昇するので、その温められた空気Ｂが天井壁内空間Ｓ１に集まる。その温められた空気Ｂを天井壁内空間Ｓ１に滞留させると、その温められた空気Ｂによって天井内装パネル２１が温められる。その結果、天井内装パネル２１から輻射による熱の移動が生じ、乗客の快適性が損なわれる。
【００６５】
特に、天井内装パネル２１は、乗客の頭部に近い内装パネル２の部分であるので、天井内装パネル２１が温められると乗客の頭部が温められるので、乗客に不快感を与える影響が大きい。
【００６６】
これに対して、本実施の形態では、天井ダクト５３が天井壁内空間Ｓ１の空気Ｂを吸い込むので、天井壁内空間Ｓ１の圧力が客室Ｅ１２よりも低くなって、後述する荷棚上方吸込口２２ａ及び後述する天井吸込口２１ａから客室Ｅ１２の調和空気Ａが天井内装パネル２１と断熱材４との間の天井壁内空間Ｓ１に吸い込まれる。そのため、天井壁内空間Ｓ１の空気Ｂが温められる前にその空気Ｂを換気することができるので、天井壁内空間Ｓ１の空気Ｂが温まって天井内装パネル２１が温められることを防止することができる。その結果、天井内装パネル２１の輻射熱による乗客の体感温度変化を防止して、乗客の快適性を保つことができる。
【００６７】
また、天井ダクト５３は、断面視矩形の筒状体として構成され、その両側面には、複数の貫通孔５５が形成されるので、天井ダクト５３を断面視円形の筒状体として構成する場合と比較して、貫通孔５５を平面上に配設することができるので、ドリルなどで切削して加工する場合には、ドリルの芯ブレを少なくして加工精度を向上させることができる。
【００６８】
ここで、従来の鉄道車両では、天井裏空間に夏の熱い空気や冬の冷たい空気が滞留した場合に、天井内装パネルの表面からもたらされる輻射熱により客室内の空調の効果が損なわれることを抑制するために、かかる天井内装パネルの裏面に断熱材を設ける必要があり、材料コストが嵩むという問題があった。これに対し、本実施の形態における鉄道車両１００によれば、上述のように、調和空気Ａの導入により、天井壁内空間Ｓ１に滞留する空気Ｂを置換して、天井内装パネル２１の表面温度を客室Ｅ１２の空気温度に近づける構成であるので、かかる天井内装パネル２１の裏面に断熱材を設けることを省略することができ、その結果、材料コストの削減を図ることができる。
【００６９】
また、図１に示すように、本実施の形態における鉄道車両１００では、天井ダクト５３の両側面に、複数の貫通孔５５が鉄道車両１００の前後方向（図１左右方向）に所定の間隔を保って貫通形成されている。
【００７０】
例えば、従来の鉄道車両は、前後寸法が長い壁内空間Ｓを均一に換気することができなかった。これに対し、本実施の鉄道車両１００によれば、図１に示すように、天井ダクト５３には、鉄道車両１００の前後方向（図１左右方向）へ貫通孔５５が所定の間隔を保って貫通形成されているので、天井壁内空間Ｓ１から空気Ｂを均一に吸い出すことができる。
【００７１】
即ち、天井壁内空間Ｓ１を均一に換気することができる。その結果、天井内装パネル２１の客室Ｅ１２側温度を均一にできる。さらに、居住室Ｅ１と壁内空間Ｓとの熱の移動量を均一に近づけることで、居住室Ｅ１の空気温度の均一化を図ることができる。
【００７２】
また、本実施の形態における鉄道車両１００によれば、天井ダクト５３の断面積（天井ダクト５３の長手方向に直交する面で切断した断面積、請求項２記載の「流路断面積」に対応する。）は、貫通孔５５から熱気回収ファン１５へ向かう側（図１左側、請求項２記載の「流通方向下流側」に対応する。）の部位の断面積ほど、大きく形成されている。
【００７３】
例えば、天井ダクト５３の断面積を貫通孔５５から熱気回収ファン１５の間で、一定とした場合には、一の貫通孔５５では、その一の貫通孔５５と熱気回収ファン１５との間に形成される他の貫通孔５５から空気Ｂが流入されるので、天井ダクト５３の内部での圧力勾配（流れ方向における上流と下流とでの圧力差の度合）が大きくなる（熱気回収ファン１５から離間するほど吸い込みのための圧力が低下する）。
【００７４】
そのため、一の貫通孔５５から天井ダクト５３の内部に吸い込まれる空気Ｂの量が一の貫通孔５５に比べて熱気回収ファン１５に近い位置に形成される他の貫通孔５５から天井ダクト５３へ吸い込まれる空気Ｂの量に比べて少なくなる。その結果、鉄道車両１００の前後方向（図１左右方向）において、天井ダクト５３に吸い込まれる空気Ｂの量が不均一となり、空調効率が悪化するという問題があった。
【００７５】
これに対して、本実施の形態では、天井ダクト５３の断面積（天井ダクト５３の長手方向に直交する面で切断した断面積、請求項２記載の「流路断面積」に対応する。）が貫通孔５５から熱気回収ファン１５へ向かう側（図１左側、請求項２記載の「流通方向下流側」に対応する。）の部位の断面積ほど、大きく形成されているので、天井ダクト５３の内部の圧力勾配を小さくすることができる。その結果、鉄道車両１００の前後方向（図１左右方向）において、天井ダクト５３に吸い込まれる空気Ｂの量を均一として、鉄道車両１００の空調効率を確保することができる。
【００７６】
回収ダクト５４は、後述する熱気回収ファン１５を介して回収された空気Ｂを鉄道車両１００の下側に配設される内気循環ファン１３へ案内する部材である。なお、回収ダクト５４には、客室Ｅ１２、デッキＥ１３及び洗面トイレ室Ｅ１４が接続されており、居住室Ｅ１全体の調和空気Ａを回収する。
【００７７】
空調装置１は、居住室Ｅ１へ調和空気Ａを供給すると共に居住室Ｅ１から調和空気Ａを回収または排出するための装置であり、図１に示すように、外気送風ファン１１と、内気循環ファン１３と、熱気回収ファン１５と、熱交換器１７とを備えている。
【００７８】
外気送風ファン１１は、鉄道車両１００の車外の空気を居住室Ｅ１に送り込むファンであり、図１に示すように、鉄道車両１００の車外の空気を後述する熱交換器１７へ供給する。内気循環ファン１３は、調和空気Ａの居住室Ｅ１の内部への循環と、調和空気Ａの鉄道車両１００の車外への排出を行うファンであり、回収ダクト５４に接続されている。その内気循環ファン１３は、回収ダクト５４を介して調和空気Ａを回収し、内部に備える弁を切り替えることで後述する熱交換器１７を介して調和空気Ａを供給ダクト５１へ供給することと、鉄道車両１００の車外へ排出することを適宜選択できるファンである。
【００７９】
熱気回収ファン１５は、壁内空間Ｓの上部に溜まった空気Ｂを天井ダクト５３を介して回収すると共に回収ダクト５４へ供給するファンであり、図１に示すように、天井ダクト５３と回収ダクト５４との間に接続されている。
【００８０】
熱交換器１７は、外気送風ファン１１及び内気循環ファン１３から送り込まれた外気および調和空気Ａに対して熱の授受を行い所望する温度および湿度の調和空気Ａとする装置であり、図１に示すように、外気送風ファン１１及び内気循環ファン１３と、供給ダクト５１との間に接続されている。
【００８１】
次いで、図３および図４を参照して、内装パネル２の詳細構成および照明装置７０の構成について説明する。図３は、図２のＩＩＩで囲んだ部分を拡大して示した鉄道車両１００の拡大断面図であり、図面を簡略化するために、天井内装パネル２１、水密パネル３及び断熱材４に一部を省略して図示している。図４は、図１のＩＶ−ＩＶ線における鉄道車両１００の窓Ｅ４周辺を拡大して示した拡大断面図である。
【００８２】
図３に示すように、天井パネル２１は、湾曲して構成されることで荷棚Ｅ３の上面である荷棚面Ｅ３１に連設される側天井パネル２５を備えている。側面パネル２２は、荷棚Ｅ３の荷棚面Ｅ３１から側天井パネル２５側（図３上方向側）へ向かって延設される上部側パネル２７を備えている。その上部側パネル２７の上側端部（図３上側端部）と側天井パネル２５の下側端部（図３下側端部、請求項３記載の「荷台面側の端部」に対応する。）との間には、荷棚上方吸込口２２ａが開口され、その荷棚上方吸込口２２ａは、壁内空間Ｓと客室Ｅ１２との間を連通させている。
【００８３】
よって、上述したように、天井壁内空間Ｓ１の空気Ｂが天井ダクト５３に吸い込まれると、天井壁内空間Ｓ１の圧力が客室Ｅ１２の圧力に対して低下するので、天井壁内空間Ｓ１と客室Ｅ１２との間を連通させている荷棚上方吸込口２２ａから客室Ｅ１２の調和空気Ａが天井壁内空間Ｓ１へと流入する。
【００８４】
また、天井壁内空間Ｓ１へと流入する調和空気Ａは、荷棚Ｅ３の上側の調和空気Ａであり、その調和空気Ａは、客室Ｅ１２で温められ上昇し天井内装パネル２１の下側に溜まった調和空気Ａである。その調和空気Ａは、天井内装パネル２１の下側に溜まっているので、天井内装パネル２１へ熱を伝え易い。その調和空気Ａも同時に天井壁内空間Ｓ１を介して天井ダクト５３へ吸い込ませることができるので、温められた調和空気Ａが排除されると共に所望の温度に調整された調和空気Ａが天井内装パネル２１の客室Ｅ１２側および壁内空間Ｓ側に効率よく送り込まれる。その結果、天井内装パネル２１が温められることが防止され、天井内装パネル２１からの輻射による乗客への熱の移動を低減して、乗客の快適性を確保することができる。
【００８５】
また、荷棚上方吸込口２２ａには、図３に示すように、揺動されることで荷棚上方吸込口２２ａを開閉自在とするルーバーＴが取り付けられている。ルーバーＴは、揺動可能に軸着される軸部を有し、その軸部から径方向に延設される板状体を備えている。よって、揺動されることで、板状体が荷棚上方吸込口２２ａを開状態または閉状態とする。例えば、乗客に熱を与えたい場合（客室Ｅ１２を暖房する場合）には、ルーバーＴを操作して、荷棚上方吸込口２２ａを閉じることで、天井内装パネル２１の客室Ｅ１２側および天井壁内空間Ｓ１側に温められた調和空気Ａ及び空気Ｂを滞留させることができる。その結果、天井内装パネル２１を温めて、乗客への暖房効果を向上させ快適性を向上させることができる。
【００８６】
次いで、照明装置７０の構成について説明する。照明装置７０は、客室Ｅ１２内部を明るく保つための装置であり、図３に示すように、上述した天井ダクト５３の両側にそれぞれ配設される一対の蛍光灯７２と、それら一対の蛍光灯７２の下側に配設され天井内装パネル２１に所定の隙間を有した状態に取り付けられ透光性材料から構成される照明カバー７４とを備えている。なお、天井内装パネル２１は、鉄道車両１００の幅方向中央部分に天井開口２１ｂが開口されており、その天井開口２１ｂの内部に蛍光灯７２が配設され、鉄道車両１００の上側方向視（図３上方向視）において、天井開口２１ｂ全体を覆い隠すように照明カバー７４が配設されている。
【００８７】
その照明カバー７４と天井内装パネル２１との間の隙間には、天井吸込口２１ａが開口され、その天井吸込口２１ａは、壁内空間Ｓと客室Ｅ１２との間を連通させている。よって、上述したように、壁内空間Ｓの空気Ｂが天井ダクト５３に吸い込まれると、壁内空間Ｓの圧力が客室Ｅ１２の圧力に対して低下するので、壁内空間Ｓと客室Ｅ１２との間を連通させている天井吸込口２１ａから客室Ｅ１２の調和空気Ａが壁内空間Ｓへと流入する。
【００８８】
また、壁内空間Ｓへと流入する調和空気Ａは、客室Ｅ１２の上側に滞留する調和空気Ａであり、暖められて上昇した調和空気Ａである。その調和空気Ａによって天井内装パネル２１が暖められる。
【００８９】
その調和空気Ａも同時に壁内空間Ｓを介して天井ダクト５３へ吸い込ませることができるので、所望の温度に調整された調和空気Ａが天井内装パネル２１の客室Ｅ１２側および壁内空間Ｓ側に効率よく送り込まれる。その結果、天井内装パネル２１が暖められることを防止して、天井内装パネル２１からの輻射による乗客への熱の移動を低減して、乗客の快適性を確保することができる。
【００９０】
また、天井吸込口２１ａは、照明カバー７４と天井内装パネル２１との間に形成されており、天井吸込口２１ａと天井ダクト５３との間の空間には、蛍光灯７２が設置されているので、天井吸込口２１ａを介して天井ダクト５３に吸い込まれる調和空気Ａは、蛍光灯７２と照明カバー７４とに当たる。
【００９１】
そのため、蛍光灯７２の熱および蛍光灯７２によって暖められた照明カバー７４の熱を奪うことができる。その結果、蛍光灯７２の発熱による天井内装パネル２１の温度上昇および照明カバー７４の温度上昇を防止することで、天井内装パネル２１及び照明カバー７４からの輻射による乗客への熱の移動を低減して、乗客の快適性を確保することができる。
【００９２】
また、天井吸込口２１ａには、図３に示すように、荷棚上方吸込口２２ａと同様に、天井吸込口２１ａを開閉自在とするルーバーＴが取り付けられている。そこで、乗客に熱を与えたい場合（客室Ｅ１２を暖房する場合）には、天井吸込口２１ａを閉じることで、天井内装パネル２１の客室Ｅ１２側および壁内空間Ｓ側に暖められた調和空気Ａ及び空気Ｂを滞留させることができる。その結果、天井内装パネル２１を暖めて、乗客への暖房効果を向上させ快適性を向上させることができる。
【００９３】
図４に示すように、内装パネル２には、窓側吹出口２２ｃとロールカーテン吸込口２２ｄとが形成されている。窓側吹出口２２ｃは、窓Ｅ４へ調和空気Ａを供給するための開口として構成されており、窓Ｅ４の上側の部位に、窓Ｅ４の幅方向（鉄道車両１００の前後方向）に沿って延設されている。
【００９４】
その窓側吹出口２２ｃは、鉄道車両１００の下方向に開口が面しており、窓Ｅ４に沿って調和空気Ａを客室Ｅ１２へ送り出している。また、窓側吹出口２２ｃは、側面視（図１紙面垂直方向視）において、窓Ｅ４の幅方向に窓Ｅ４を越えて延設されている。そのため、窓Ｅ４の幅方向（鉄道車両１００の前後方向）全体に調和空気Ａを送り出すことができる。
【００９５】
ロールカーテン吸込口２２ｄは、窓Ｅ４によって暖められた調和空気Ａを取り除くための開口であり、窓側吹出口２２ｃの下側（図４下側）で且つ窓Ｅ４の上側に形成されている。よって、窓側吹出口２２ｃから送り出された調和空気Ａを直接吸い込むことを防止することができる。
【００９６】
また、図４に示すように、ロールカーテン吸込口２２ｄと窓側吹出口２２ｃとの間は、客室Ｅ１２側（図４右側）に凸の湾曲面として構成される連結面２２ｇが形成されており、窓側吹出口２２ｃから排出された調和空気Ａを連結面２２ｇ沿って導くことで、調和空気Ａを送風距離（窓側吹出口２２ｃから送出された調和空気Ａが送出の勢いを保つことができる距離）を確保している。よって、窓Ｅ４の下側まで調和空気Ａを送出することができる。その結果、窓Ｅ４と客室Ｅ１２の乗客との間にエアーカーテンを形成することができるので、窓Ｅ４にて暖められた調和空気Ａが客室Ｅ１２の乗客まで到達することを防止することができる。
【００９７】
また、ロールカーテン吸込口２２ｄは、図４に示すように、鉄道車両１００の下方向に開口が面しており、窓Ｅ４に接した調和空気Ａを壁内空間Ｓへ吸い出している。また、ロールカーテン吸込口２２ｄは、側面視（図１紙面垂直方向視）において、窓Ｅ４の幅方向に窓Ｅ４を越えて延設されている。そのため、窓Ｅ４の幅方向（鉄道車両１００の前後方向）全体から窓Ｅ４によって暖められた調和空気Ａを取り除くことができる。
【００９８】
よって、窓Ｅ４に近接した領域の調和空気Ａが取り除かれるので、窓Ｅ４側への調和空気Ａの流れが生じる。そのため、窓側吹出口２２ｃから窓Ｅ４に沿って送出された調和空気Ａが窓Ｅ４側に導かれるので、窓Ｅ４を客室Ｅ１２の調和空気Ａの温度に近づけることができる。その結果、窓Ｅ４から輻射により乗客へ熱が伝えられることを防止して、乗客の体感温度の変化を防ぎ快適性の向上を図ることができる。
【００９９】
一方、車外の空気温度が客室Ｅ１２の調和空気Ａの温度より低い場合（冷たい調和空気Ａを客室Ｅ１２から排除したい場合）には、ロールカーテン吸込口２２ｄが窓Ｅ４によって冷やされた調和空気Ａを取り除くことで、窓Ｅ４からのコールドドラフト（冷やされた空気が窓に沿って下降すること）を防止することができる。その結果、乗客に冷気が当たることを防いで快適性の向上を図ることができる。
【０１００】
また、ロールカーテン吸込口２２ｄの内部には、図４に示すように、カーテンを巻きとることで窓Ｅ４と乗客との間の遮断するロールカーテンＫが配設されており、そのロールカーテンＫによって、ロールカーテン吸込口２２ｄが外側吸込口２２ｅと内側吸込口２２ｆとに分けられている。
【０１０１】
外側吸込口２２ｅは、ロールカーテンＫの外側（窓Ｅ４側、図４左側）に形成される開口として構成され、内側吸込口２２ｆは、ロールカーテンＫの内側（窓Ｅ４の反対側、図４右側）に形成される開口として構成されている。
【０１０２】
例えば、車外の空気温度が客室Ｅ１２の調和空気Ａの温度より高い場合（暖かい調和空気Ａを客室Ｅ１２から排除したい場合）に、ロールカーテンＫを閉じた場合には、窓Ｅ４から差し込む陽ざしによって、ロールカーテンＫが温められる。そのため、ロールカーテンＫからの輻射による乗客への熱の移動によって乗客の体感温度が上昇するという問題がある。また、ロールカーテンＫが客室Ｅ１２の調和空気Ａを暖め、乗客に暖かい空気が当たるという問題がある。
【０１０３】
これに対して、本実施の形態では、外側吸込口２２ｅによって、ロールカーテンＫの窓Ｅ４側の側面に沿って調和空気Ａを吸い込むので、客室Ｅ１２からの調和空気ＡがロールカーテンＫの熱を奪って温度上昇を抑える。その結果、ロールカーテンＫからの輻射による乗客への熱の移動を低減して、乗客の体感温度の上昇を防止することができる。
【０１０４】
また、内側吸込口２２ｆによって、ロールカーテンＫの客室Ｅ１２側の側面に沿って調和空気Ａを吸い込むので、客室Ｅ１２からの調和空気ＡがロールカーテンＫの熱を奪って温度上昇を抑える。その結果、ロールカーテンＫからの輻射による乗客への熱の移動を低減して、乗客の体感温度の上昇を防止することができる。
【０１０５】
加えて、ロールカーテンＫの客室Ｅ１２側の側面に沿って調和空気Ａを吸い込むので、ロールカーテンＫによって温められた調和空気Ａを客室Ｅ１２から吸い出し、客室Ｅ１２の空気温度上昇を防ぐと共に、乗客に温められた調和空気Ａが当たることを防止することができる。
【０１０６】
また、車外の空気温度が客室Ｅ１２の調和空気Ａの温度より低い場合（暖房している場合）は、車外の空気温度が客室Ｅ１２の調和空気Ａの温度より高い場合（冷房している場合）に対して、調和空気ＡがロールカーテンＫによって冷やされることが異なるのみであり、その冷やされた調和空気Ａを客室Ｅ１２内部の調和空気Ａと入れ替えることができるので、同様の効果を奏する。
【０１０７】
なお、車外の空気温度が客室Ｅ１２の調和空気Ａの温度より低い場合（暖房している場合）は、日差しによりロールカーテンＫが温められるよりも、外気によって冷やされた窓Ｅ４からの輻射による熱の移動により、ロールカーテンＫが客室Ｅ１２の調和空気Ａよりも温度が低くなった場合を想定している。
【０１０８】
また、車外の空気温度が客室Ｅ１２の調和空気Ａの温度より低い場合（暖房している場合）で、日差しによりロールカーテンＫが温められ、客室Ｅ１２の調和空気Ａの温度よりもロールカーテンＫの温度が高くなった場合には、ロールカーテン吸込口２２ｄによる調和空気Ａの吸い込みを停止することで、暖房効率を向上させることができる。
【０１０９】
例えば、天井吸込口２１ａに取り付けられるルーバーＴをロールカーテン吸込口２２ｄに取り付けて、窓Ｅ４上部にルーバーＴの向きを機械的に切り替えるレバーを備えても良い。
【０１１０】
または、外側吸込口２２ｅと内側吸込口２２ｆとを流れる調和空気Ａの温度を測定するセンサーを設け、その温度差によって、ルーバーＴをモータの駆動力によって駆動させて開閉させても良い。この場合、外側吸込口２２ｅを流れる調和空気Ａの温度が内側吸込口２２ｆを流れる調和空気Ａの温度より高い場合には、客室Ｅ１２の調和空気Ａの温度よりもロールカーテンＫの温度が高くなったと判断して、ルーバーＴの向きを切り替えてロールカーテン吸込口２２ｄを閉じても良い。
【０１１１】
ロールカーテンＫは、捲き上がった場合に、捲き取られた布によって巻き取り部の太さが太くなる。この太くなることによって外側吸込口２２ｅ及び内側吸込口２２ｆの流路断面積は小さくなる。ロールカーテンＫは、下ろした場合に、捲き取り部の太さが細くなる。細くなることによって外側吸込口２２ｅ及び内側吸込口２２ｆの流路断面積は大きくなるが、一方でロールカーテンＫが下りている場合には、外側吸込口２２ｅを通過する気流は、ロールカーテンＫと窓枠との間の狭い流路を流れる。この作用によって、ロールカーテンＫの開閉に関わらずロールカーテン吸込口２２ｄを通過する気流の最も狭い流路断面積は一定に保たれる。このことは、ロールカーテンＫの開閉に関わらず天井吸込口２１ａ・荷棚上方吸込口２２ａ・ロールカーテン吸込口２２ｄを通過する風量のバランスは一定に保たれる。
【０１１２】
上がったり下がったりすることによって外側吸込口２２ｅ及び内側吸込口２２ｆの流路断面積を可変とする仕組みは、捲き取り部の太さによる前記仕組みのほかに、カーテンの先端部の厚みを太くして先端部があがったような状態では、外側吸込口２２ｅ及び内側吸込口２２ｆを部分的に閉塞することによってもたらされる。同様に、板状の遮光パネルが引戸のように窓開口を開閉するカーテンを採用した場合には、窓の上部に格納されたパネルが上部側パネル２７及び断熱材４の間の流路を部分的に閉鎖することによってもたらされる。
【０１１３】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【０１１４】
また、第１実施の形態では、天井ダクト５３に熱気回収ファン１５が接続されて構成された場合を説明したが、必ずしもこれに限られるものではなく、熱気回収ファン１５を省略した構成としても良い。
【０１１５】
この場合、デッキＥ１３及び洗面トイレ室Ｅ１４から空気を回収する回収ダクト５４に天井ダクト５３が接続されていれば、回収ダクト５４に接続される内気循環ファン１３の排気力によって、天井ダクト５３の内部の空気Ｂが車外に排出される。よって、本実施の形態と同様の効果を奏する。
【０１１６】
窓にはロールカーテンＫがついているものとして記載したが、パネル式の遮光板としても何ら趣旨を変えることなく実施することができる。カーテンの形態としては、その他にも水平に開閉するものでも良い。
【０１１７】
また、回収ダクト５４には、客室Ｅ１２、デッキＥ１３及び洗面トイレ室Ｅ１４が接続される構成としたが、回収ダクト５４に客室Ｅ１２及びデッキＥ１３を接続し、洗面トイレ室Ｅ１４を回収ダクト５４と別経路で車外に接続しても良い。即ち、２経路で空気の循環を行っても良い。この場合、洗面トイレ室Ｅ１４からの汚れた空気（匂いがある空気）が客室Ｅ１２及びデッキＥ１３へ流入することを防止することができる。
【０１１８】
また、更に、回収ダクト５４に客室Ｅ１２のみを接続し、洗面トイレ室Ｅ１４及びデッキＥ１３のそれぞれを別経路として車外に接続しても良い。即ち、３経路で空気の循環を行っても良い。この場合、客室Ｅ１２、デッキＥ１３及び洗面トイレ室Ｅ１４を空気の循環を独立して行うことができるので、各室間での空気の匂いや空気の温度差の影響を受け難くすることができる。
【０１１９】
また、外側吸込口２２ｅ又は内側吸込口２２ｆの少なくとも一方にル−バＴを取り付けた構成としても良い。この場合、ル−バＴを揺動させて外側吸込口２２ｅ又は内側吸込口２２ｆの少なくとも一方を閉状態とすることで、例えば、暖房時には、窓Ｅ４付近に滞留している暖かい空気が客室Ｅ１２内の他の領域の空気に置換されることを抑制することができる。これにより、窓Ｅ４の表面からもたらされる輻射熱により客室Ｅ１２内の空調効果を高めることができ、その結果、乗客の快適性の向上を図ることができる。
【符号の説明】
【０１２０】
１００              鉄道車両
１                  空調装置
３                  水密パネル
４                  断熱材
１３                内気循環ファン（排気手段の一部）
１５                熱気回収ファン（排出手段の一部）
２１                天井内装パネル
２５                側天井パネル
２１ａ              天井吸込口（通風口の一部、照明通風口）
２１ｂ              天井開口（通風口の一部、採光用の開口）
２２ａ              荷棚上方吸込口（通風口の一部、荷棚通風口）
２２ｃ              窓側吹出口（吹出口）
２２ｄ              ロールカーテン吸込口（窓通風口）
２２ｅ              外側吸込口（窓通風口の一部）
２２ｆ              内側吸込口（窓通風口の一部）
５３                天井ダクト（ダクト部材）
５４                回収ダクト
５５                貫通孔（開口）
７２                蛍光灯（照明具）
７４                照明カバー
Ａ                  調和空気
Ｂ                  空気
Ｅ１２              客室
Ｅ１３              デッキ
Ｅ１４              洗面トイレ室
Ｅ３                荷棚
Ｅ４                窓（窓ガラス）
Ｓ１                天井壁内空間（天井裏空間）
【図１】
2010208378.tif 000003
【図２】
2010208378.tif 000004
【図３】
2010208378.tif 000005
【図４】
2010208378.tif 000006